(57)【要約】【課題】 様々な基材に再帰反射性を付与でき、かつ、その再帰反射性の高い再帰反射塗膜およびその形成方法を提供する。【解決手段】 再帰反射性を発現させるためのビーズの一部に反射膜が形成され、その反射膜が塗膜中でその底部を下側になるようになされていることで、高い再帰反射性を有し、幅広い基材に適用可能な塗装再帰反射膜を提供することができる。また、上記のような再帰反射塗膜の形成方法であって、ビーズの反射膜部分に、下塗り塗膜と親和性の高い物質を付着させ、さらに、反射膜部分でないビーズ上部側に透光性塗料と親和性の高い物質を付着させておいたり、または、反射膜を磁性金属とするか磁性金属を付着させておき、この塗装時または塗装後に基材側に磁石を設置し、磁力によってビーズの反射膜の磁性金属を基材方向に引き寄せることによって、下塗り塗膜と透光性塗膜との層間にビーズの反射膜を下側にして配列させて設けることができる。【選択図】      図１
2005288206.tif 000002
【特許請求の範囲】
【請求項１】
ガラスまたは樹脂からなるビーズの少なくともその一部の表面に光反射性を有する反射膜が設けられた再帰反射性ビーズであって、前記再帰反射ビーズが、塗料を塗装することによって形成された塗膜内に反射膜を底面にして設けられていることを特徴とした再帰反射性塗膜。
【請求項２】
塗膜は少なくとも２層からなり、再帰反射ビーズの少なくとも一部が埋設された塗膜と、その塗膜上に再帰反射ビーズを被覆するように設けられた透光性塗膜とを有することを特徴とした請求項１に記載の  再帰反射性塗膜。
【請求項３】
請求項１または２に記載の再帰反射性塗膜の形成方法であって、再帰反射性塗膜の形成方法であって、基材に下塗り塗膜を塗装した後に、下塗り塗膜が流動性を有する状態でガラスまたは樹脂からなる再帰反射性ビーズを含有する透光性塗料を前記下塗り塗膜上に塗装することによってビーズを含む再帰反射塗膜が形成され、前記再帰反射ビーズにはビーズの少なくともその一部の表面に光反射性を有する反射膜が設けられ、該反射膜部分の表面には下塗り塗膜と親和性を有する物質が付着されるとともに反射膜以外の表面には透光性塗料と親和性を有する物質が付着されていることによって、前記下塗り塗膜と透光性塗膜との膜間に再帰反射ビーズが反射面を下面にして配列することを特徴とした再帰反射性塗膜の形成方法。
【請求項４】
請求項１または２に記載の再帰反射性塗膜の形成方法であって、基材に下塗り塗膜を塗装した後に、下塗り塗膜が流動性を有する状態でガラスまたは樹脂からなる再帰反射性ビーズを含有する透光性塗料を前記下塗り塗膜上に塗装することによって形成され、前記透光性塗膜に含まれる再帰反射ビーズにはビーズの少なくともその一部の表面に磁性金属からなる光反射性を有する反射膜が設けられており、塗装時および／または塗装後に基材側から磁石を接近させることにより、前記下塗り塗膜と透光性塗膜との膜間に再帰反射ビーズが反射面を下面にして配列することを特徴とした再帰反射性塗膜の形成方法。
【発明の詳細な説明】
【技術分野】
【０００１】
本発明は、高い再帰反射性を有する塗膜およびその形成方法に関するものである。
【背景技術】
【０００２】
再帰反射性を有するものには、例えばシート状のものや塗膜、樹脂成形体などがあり、それらは道路周辺の道路標識や案内標識、視線誘導標などに用いられたり、道路周辺の構造物に設けられてドライバーへの注意喚起、歩行者への安全対策などに重要な役割を担っている。
【０００３】
シート状のものは、反射シートとして一般に広く用いられており、反射輝度も高く、シートを貼り付けるだけで良いので、施工性も良好であることから、様々なものに用いられており、特に道路標識や案内標識などに好適に用いられている。
【０００４】
樹脂成形体からなるものは、主にプリズム状になっており、インジェクション成形などによって形成される。これらは非常に高い再帰反射性を有しており、例えば視線誘導標などの再帰反射体に用いられている。
【０００５】
また、再帰反射性を有する塗膜は、塗料にガラスビーズなどの再帰反射材を混合させたものを吹き付けることによって形成されるもので、再帰反射性を付与する基材の形状や大きさなどの制約が少ないため、様々な場所に適用が可能である。
【０００６】
【特許文献１】特開平７−２４９８８号公報
【特許文献２】特開平７−２９５４８７号公報
【発明の開示】
【発明が解決しようとする課題】
【０００７】
しかしながら、塗膜状の再帰反射膜は、反射材であるガラスビーズを配合した塗料をそのまま吹き付けて形成するため、ビーズが塗膜に付着する向きが一定にならない欠点があった。そのためビーズには反射膜が設けられておらず反射性能が低いという欠点があった。この反射膜はビーズ底部の一部の表面に形成されるもので、ビーズに入射してきた光が、この反射膜を焦点として光を反射させることで高い再帰反射性を発揮するものである。
【０００８】
このような反射膜が設けられていないため、ガラスビーズの再帰反射性は、ビーズと塗膜との界面による反射性に依存している。したがって、その再帰反射性は下地の塗膜の色によって変化してしまうことになる。
【０００９】
また、ガラスビーズに塗料かぶりなども発生しやすく、光がガラスビーズに届かないため、再帰反射性が発揮されないなどの問題点もあった。
【００１０】
そこで本発明は上記の如き問題点に鑑みてなされたものであり、ガラスビーズを含有した塗料を吹き付けることによって再帰反射塗膜を形成することで様々な基材に再帰反射性を付与でき、かつ、その再帰反射性の高い再帰反射塗膜およびその形成方法を提供せんとするものである。
【課題を解決するための手段】
【００１１】
上記目的を達成するために、本発明は次のような構成としている。すなわち、ガラスまたは樹脂からなるビーズの少なくともその一部の表面に光反射性を有する反射膜が設けられた再帰反射性ビーズであって、前記再帰反射ビーズが、塗料を塗装することによって形成された塗膜内に反射膜を底面にして設けられていることを特徴とするものである。
【００１２】
再帰反射性を発現させるためのビーズには、その一部に反射膜が形成されているとよく、さらにその反射膜が、塗膜中でその底部を下側になるようになされているとよい。反射膜はビーズ表面の一部に形成されるもので、ビーズに入射してきた光が、この反射膜を焦点として光を反射させることで高い再帰反射性を発揮するものである。このようになされることで、幅広い基材に適用可能な塗装による再帰反射膜であって、高い再帰反射性を有した再帰反射膜を提供することができる。
【００１３】
また、ビーズの向きを、反射膜部分を底部とすることによって、反射輝度が向上し、ビーズの量を少なくすることができるため、コストが低減できるとともに、塗料中のビーズ量を減らすことが出来るため施工性も向上する。
【００１４】
また、従来であれば、ビーズの反射膜はなく、下塗り塗膜とビーズとの界面が反射膜の役割を果たしていたため、下塗り塗膜の色によりその再帰反射性が変化してしまっていた。本発明では、ビーズに反射膜を設けているので下塗り塗膜によってその再帰反射性が変化することもなく安定した反射性能を発現させることができる。
【００１５】
また、ビーズの凹凸により、膜表面に張り紙防止性能を発現させることもできる。
【００１６】
また、塗膜は少なくとも２層からなり、再帰反射ビーズの少なくとも一部が埋設された塗膜と、その塗膜上に再帰反射ビーズを被覆するように設けられた透光性塗膜とを有することを特徴とするものである。
【００１７】
塗膜が少なくとも２層からなっており、この界面にビーズが配列しているようになされているとよい。すなわち、下方の塗膜にビーズの一部が埋設されるようになされて塗膜に固定されるとともにビーズ上から透光性のクリア塗膜を設けることにより、再帰反射性を損なうことなくビーズの脱落を好適に防ぐことができる。このとき、下部の塗膜に埋設される部分は、ビーズに設けられた反射膜部分であるとよい。
【００１８】
また、再帰反射性塗膜の形成方法であって、基材に下塗り塗膜を塗装した後に、下塗り塗膜が流動性を有する状態でガラスまたは樹脂からなる再帰反射性ビーズを含有する透光性塗料を前記下塗り塗膜上に塗装することによってビーズを含む再帰反射塗膜が形成され、前記再帰反射ビーズにはビーズの少なくともその一部の表面に光反射性を有する反射膜が設けられ、該反射膜部分の表面には下塗り塗膜と親和性を有する物質が付着されるとともに反射膜以外の表面には透光性塗料と親和性を有する物質が付着されていることによって、前記下塗り塗膜と透光性塗膜との膜間に再帰反射ビーズが反射面を下面にして配列することを特徴とするものである。
【００１９】
下塗り塗膜を形成させたのち、この下塗り塗膜が流動性を有する間にビーズを含む透光性塗料を下塗り塗膜上に塗装する。このビーズの少なくとも一部に反射膜部分を設け、この反射膜部分に、下塗り塗膜と親和性の高い物質を付着させ、さらに、反射膜部分でないビーズ上部側に透光性塗料と親和性の高い物質を付着させておく。このようにしておくと、ビーズを含んだ透光性塗料を塗装したとき、ビーズの反射膜部分が下塗り塗膜に引き寄せられて、下塗り塗膜にその反射膜部分を埋め込ませることができ、下塗り塗膜と透光性塗膜との層間にビーズを反射膜を下側にして配列させて設けることができる。
【００２０】
また、再帰反射性塗膜の形成方法であって、基材に下塗り塗膜を塗装した後に、下塗り塗膜が流動性を有する状態でガラスまたは樹脂からなる再帰反射性ビーズを含有する透光性塗料を前記下塗り塗膜上に塗装することによって形成され、前記透光性塗膜に含まれる再帰反射ビーズにはビーズの少なくともその一部の表面に磁性金属からなる光反射性を有する反射膜が設けられており、塗装時および／または塗装後に基材側から磁石を接近させることにより、前記下塗り塗膜と透光性塗膜との膜間に再帰反射ビーズが反射面を下面にして配列することを特徴とするものである。
【００２１】
再帰反射性塗膜の別の形成方法として、次の方法も好適に用いることができる。下塗り塗膜を形成させたのち、この下塗り塗膜が流動性を有する間にビーズを含む透光性塗料を下塗り塗膜上に塗装する。このビーズの少なくとも一部に反射膜部分を設け、この反射膜を磁性金属とするか磁性金属を付着させておく。そしてこの塗装時または塗装後に基材側に磁石を設置し、磁力によってビーズの反射膜の磁性金属を基材方向に引き寄せ、ビーズ反射膜を底部にくるような向きに配向させることができる。磁石を置く場合、基材が磁性金属体であれば基材自体を磁石を取り付けたり電磁石として磁石としてもよいし、基材の裏側に磁石を置くようにしてもよい。
【００２２】
このように再帰反射塗膜を形成することで、ビーズの反射膜面を底部に配向させた再帰反射性の高い塗膜を得ることができる。
【発明の効果】
【００２３】
本発明によれば、再帰反射性を発現させるためのビーズの一部に反射膜が形成され、さらにその反射膜が塗膜中でその底部を下側になるようになされて再帰反射性を発揮するものである。このようになされることで、幅広い基材に適用可能な塗装による再帰反射膜であって、高い再帰反射性を有した再帰反射膜を提供することができる。
【００２４】
また、塗膜が少なくとも２層からなっており、下方の塗膜にビーズの一部が埋設されるようになされて塗膜に固定されるとともにビーズ上から透光性のクリア塗膜を設けるとよく、再帰反射性を損なうことなくビーズの脱落を好適に防ぐことができる。
【００２５】
また、上記のような再帰反射塗膜の形成方法であって、下塗り塗膜を形成させたのち、この下塗り塗膜が流動性を有する間にビーズを含む透光性塗料を下塗り塗膜上に塗装し、このビーズの少なくとも一部に反射膜部分を設け、この反射膜部分に、下塗り塗膜と親和性の高い物質を付着させ、さらに、反射膜部分でないビーズ上部側に透光性塗料と親和性の高い物質を付着させておけば、ビーズを含んだ透光性塗料を塗装したとき、ビーズの反射膜部分が下塗り塗膜に引き寄せられて、下塗り塗膜にその反射膜部分を埋め込ませることができ、下塗り塗膜と透光性塗膜との層間にビーズの反射膜を下側にして配列させて設けることができる。
【００２６】
また、再帰反射性塗膜の別の形成方法として、下塗り塗膜を形成させたのち、この下塗り塗膜が流動性を有する間にビーズを含む透光性塗料を下塗り塗膜上に塗装し、このビーズの少なくとも一部に反射膜部分を設け、この反射膜を磁性金属とするか磁性金属を付着させておき、この塗装時または塗装後に基材側に磁石を設置し、磁力によってビーズの反射膜の磁性金属を基材方向に引き寄せ、ビーズ反射膜を底部にくるような向きに配向させるようにしてもよい。
【発明を実施するための最良の形態】
【００２７】
本発明に係わる実施の形態について、図面に基づき以下に具体的に説明する。図１は、本発明の再帰反射塗膜の断面を示した模式図である。基材１上に下塗り塗膜２が塗装されるとともに透光性塗膜３がその上から形成されている。その下塗り塗膜２と透光性塗膜３との界面に再帰反射性を有するビーズ４が設けられている。再帰反射ビーズはその一部に反射膜が形成され、その反射膜部分４１が底部になるように配列している。
【００２８】
このように、塗膜中のビーズには反射膜部分が設けられ、その反射膜部分４１が底部になるようになされていることにより、高い再帰反射性を発現させることができる。また、反射膜が形成されているので塗膜の色により反射性能が変化することなく安定した反射性能を発現することができる。すなわち、従来であればあまり濃色の塗膜では十分な反射性能が得られず、塗膜色が限定されていたが、本発明のようにすれば、塗膜の色などは限定されず、所望の塗膜色に再帰反射性を付与することができる。
【００２９】
また、ビーズはその一部が下塗り塗膜に埋設されて固定されるとともに上部から透光性塗膜が形成されているので、しっかりと塗膜内に保持されて脱落することもない。また、さらにビーズを塗膜内に内包することにより塗膜表面に凹凸が形成され、この凹凸により、テープや糊などが貼り付きにくい貼り紙防止機能を発現させることもできる。
【００３０】
図２には、再帰反射塗膜の再帰反射性の発現メカニズムを示した模式図を示す。透光性塗膜を通して、入射光Ｅがビーズに入射し、反射膜部分４１を焦点にして反射して反射光Ｒが、光が入射してきた向きに戻っていく（再帰反射）。
【００３１】
このとき用いられるビーズは、再帰反射性を有していれば特に限定されるものではなく、ガラス製のものや、アクリル樹脂などの樹脂製のビーズも用いることができる。
【００３２】
次に、本発明の再帰反射性塗膜を形成する方法の一例について具体的に説明する。まず、基材１に下塗り塗膜２を形成する。そして、下塗り塗膜が流動性を有するうちに、ビーズを含ませた透光性塗料をその上から塗装し透光性塗膜を形成する。このビーズ４には予めその一部に反射膜部分４１が形成され、この反射膜部分にはその表面に下塗り塗膜と親和性の高い物質が付着させてあり、さらにビーズ表面の反射膜が形成されていない部分には、上塗り塗膜である透光性塗膜と親和性の高い物質が付着させてある。このようなビーズを含む透光性塗料を下塗り塗膜が流動性を有するうちに塗装することによって、ビーズが下塗り塗膜と透光性塗膜との界面に移動し、さらに反射膜部分が下塗り塗膜に埋め込まれるように、ビーズの底部にくるように配列する。
【００３３】
このとき、下塗り塗膜や透光性塗膜の種類は特に限定されるものではなく、ビーズに付着させるそれぞれの塗膜に親和性を有する物質と対応したものであればよい。ビーズに付着させるそれぞれの塗膜と親和性のある物質と塗膜との組み合わせは、例えば、下塗り塗膜として、親水性の塗料を用い、またその塗料と親和性を有し、反射膜に付着させる物質としては、アルミ蒸着膜を用いればよく、また上塗りの透光性塗膜は疎水性塗料とし、ビーズの反射膜以外の表面に付着させる物質として、ステアリン酸鉄を付着させると良い。ステアリン酸鉄は、ガラスと反応し、疎水性を示す物質である。
【００３４】
また、次に本発明の再帰反射性塗膜を形成する方法の別の一例について具体的に説明する。まず、基材１に下塗り塗膜２を形成する。そして、下塗り塗膜が流動性を有するうちに、ビーズを含ませた透光性塗料をその上から塗装し透光性塗膜を形成する。このビーズ４の反射膜部分４１は、予め磁性を有する金属で形成されているか、または磁性を有する金属を付着させてある。このようなビーズを含む透光性塗料を下塗り塗膜が流動性を有するうちに塗装するとともに基材側に磁石をおき、磁力でビーズ表面の磁性体を引き寄せることによって、ビーズが下塗り塗膜と透光性塗膜との界面に移動し、さらに反射膜部分が下塗り塗膜に埋め込まれるように、ビーズの底部にくるように配列させることができる。
【００３５】
このとき、用いる磁性体は特に限定されるものではないが、例えば鉄や白金などを用いることができる。また、基材側に設けられる磁石は、基材の裏側に設置されてもよいし、基材自身が磁性体であれば、基材に磁石を接触させて、基材自身に磁性を付与させてもよい。
【００３６】
上記に示される塗膜は、例えば道路周縁に設置されるものに形成されて、ドライバーや歩行者の視認性を向上させ、安全性を高めることができる。具体的には、例えば柵の支柱やビーム、標識柱、車止め、看板など様々なものに適用することができる。
【図面の簡単な説明】
【００３７】
【図１】本発明の実施の一例を示す断面の模式図である。
【図２】本発明の光の入射を示す模式図である。
【符号の説明】
【００３８】
Ｅ    入射光
Ｒ    反射光
１    基材
２    下塗り塗料
３    透光性塗料
４    再帰反射性ビーズ
４１  反射膜
【図１】
2005288206.tif 000003
【図２】
2005288206.tif 000004